(57)【要約】インプラントのねじ切り部分（１）が始まるゾーン（２）における先細と、歯根尖ゾーン（３）の直線的な切刃の位置とを修正し、それにより、ねじ切りとインプラントの初期の位置を改善する。キャリア（７）のスリーブは、六角形の突出部分（８、９）を含み、シャフト（１１）は、リング・タイプのシールを含む。
2004508877.tif 000002
【特許請求の範囲】
【請求項１】
ねじ切りセクション（１）、切刃（その１つは直線で、中心から径方向に広がる）を有する歯根尖端（３）、ヘッド（５）、ヘッドから突出する六角形（４）、軸方向の空洞、および開放盲ねじ切り空洞（１３）からなる人口歯根取付け具であって、インプラントが、六角形（４）の上に取り付けられたケーシング（７）と、ケーシングを通過し、インプラントの空洞（１３）内に固定されるねじ切り端部（１２）を有するシャフト（１１）とを有し、このシャフトが、ホルダ（１７）によって動作され、自由端を有し、
インプラントのヘッド（５）をインプラント（１）のねじ切りセクションに接続する領域が、４８と６５°の間の先細を有し、
インプラントの歯根尖端の直線的な切刃（６）が、０と２０°の間の角度で理論的な径方向の位置に対して傾斜し、切断される領域と最初に接触する部分である、縁の最外端部を有し、
標準的なインプラントの上方ヘッドは、４．１ｍｍの直径を有し、上方の六角形は、顔との間に２．７ｍｍあり、高さが０．７ｍｍであり、ねじ切りセクションは、３．３、３．７５、および４ｍｍの直径を有することができ、
ケーシング（７）から突出している橋脚歯は、六角形のベース（８）の上に位置する六角形の突出部（９）からなり、両方のフィーチャの側面は、互いに、および、インプラントの六角形（４）の面と同一面上にり、
適切な材料で作成され、取付け具のシャフト（１１）の突出する端部（１５、１６）の上に配置されたＯリング・シール（１４）は、ホルダ（１７）の空洞（２０）に収容されることを特徴とする人口歯根取付け具。
【請求項２】
切歯への適用において、インプラントのヘッド（５）の直径が、３．６ｍｍであり、六角形（４）が、顔との間に２．４ｍｍから２．６ｍｍあり、高さが１ｍｍであり、ねじ切りセクション（１）の直径が３．３ｍｍである、請求項１に記載の人口歯根取付け具。
【請求項３】
大臼歯への適用において、インプラントのヘッド（５）の直径が５．５ｍｍであり、六角形（４）が、顔との間に２．７から３．５ｍｍあり、高さが０．７と１．２ｍｍの間であり、ねじ切りセクション（１）が、４、４．５、５、５．５、および６ｍｍの直径を有することができる、請求項１に記載の人口歯根取付け具。
【請求項４】
インプラントの切断セクション（２４）が、平坦な円形領域（２１）から放射状に広がり、前記切断セクションの後に時計回りの方向に設定された円形端部（２９）がかぶさっており、そこから、歯の外側面の先細ねじ切りセクションが始まり、この段階で、ねじ切り横方向セクションの先細が、垂直に対して、９と５．２１°の間の生成装置の角度によって決定され、先細セクションの生成装置の角度が、垂直に対して、４．２と３．３°の間に設定され、これらの値が、８．５から２０ｍｍにわたるインプラントの全長と、２．９から４．６ｍｍの範囲である先細ねじ切りセクションの長さとに対して調節される、請求項１から３に記載の人口歯根取付け具。
【請求項５】
取付け具のサイズが、各インプラントに応じて調節される、請求項１から４に記載の人口歯根取付け具。
【発明の詳細な説明】
【０００１】
本発明は、インプラントの領域に配置される人工歯根取付け具に関する。取付け具は、参考文献ＷＯ−Ａ−９９／１８８８１に記述されているタイプのものである。
【０００２】
参考文献に記述されているインプラントに関して、初期の安定性を増大し、歯の歯根尖端の有効性を促進し、および、インプラントを標準として適用し、かつ、特にあらゆる歯の部品を交換するために使用することができるように、インプラントの範囲を提供することによって、ある特徴を改善することができるということが観測されていた。
【０００３】
さらに、機能が、インプラントが確実に口の正確な位置にはめ込まれるようにするものである取付け具をこれらのインプラントに使用することには、いくつかの欠点がある。
【０００４】
これらの取付け具は、ケーシング、スクリュー、およびホルダの３つの基本的な部分からなる。ケーシングは、中空であり、インプラントの六角形の端部の上に配置される。スクリューは、中空を通過し、インプラントの内軸の空洞内にねじを切り、ケーシングをインプラント上の適所に保有する。スクリューは、ホルダが接続される橋台を形成するように、ケーシングから突出する。
【０００５】
既存の取付け具では、橋脚歯とホルダの間の接続を適所で保有する手段は存在せず、したがって、インプラントを動かすことは困難である。
【０００６】
他の場合では、接続は、機械的な手段によって確立される。しかし、これの欠点は、インプラントを正確に動かすことができる場合でも、強制的にホルダを引き抜こうとすると、インプラントが適所から動く、または、初期の安定性が失われる可能性があるという危険性があるので、ホルダを引き抜くことが困難なことである。
【０００７】
本発明の目的は、以下の利点を提供することである。
・より優れた初期のインプラントの安定性を提供する。
・インプラントねじ切り能力を増大する。
・あらゆる歯の部品に対し、インプラントを調節することができるように、様々なサイズのインプラントを創出する。
・インプラントの動きを促進し、まず、インプラントを正確に配置することを可能にする。
・すべてのインプラントを同じ場所に六角形を有して配置することができるように、取付け具が基準として作用し、したがって、歯科矯正医の作業を容易にする。
【０００８】
この目的を達成するために、歯根尖端の上に切刃の対を見せたインプラントは、各直線的な切刃をわずかに傾斜させることによって、修正することができる。したがって、ＷＯ−Ａ−９９／１８８８１の場合、直線的な切刃は、インプラントの中心に関して、径方向において動作したが、この場合では、各直線的な切刃は、その位置を端部に維持し、わずかな角度後方に傾いており、したがって、当初骨の内部へ切り込み、徐々に前進して、ねじ切りをより柔らかく、より強引でないようにするのは、上述した端部である。これらの直線的な切刃の後方傾斜角度は、０°から２０°の範囲にある。
【０００９】
このねじ切り部分の側面は、上方セクション（六角形の橋台が突出しているヘッドと下方のねじ切り領域）に出現し、５０と６５°の間の先細を有する。この領域でこの角度で先細になっていることにより、インプラントがねじを切られた後は、応力の分布を著しく増大させることなく、およびそれを低減さえして、より優れた初期の安定性が創出されることを示す試験が実施されている。
【００１０】
上述したように、インプラントの一般的なサイズも修正されるが、上述した２つの特徴は標準的な特徴として保持され、したがって、標準的なインプラントまたはインプラントのタイプを創出する。他の２つの特徴は、それぞれ下方の切歯および大臼歯、ならびに、後により詳細に観察する硬い歯および非常に硬い歯に対して特別に設計されている他の１つに適用することができる。
【００１１】
標準的なインプラントの上方ヘッドは、４．１ｍｍの直径を有し、上方の六角形は、顔との間に２．７ｍｍあり、高さが０．７ｍｍであるが、一方、ねじ切りセクションは、３．３、３．７５、および４ｍｍの直径を有することができる。
【００１２】
切歯インプラントのヘッドの直径は、３．６ｍｍであり、六角形は、顔との間に２．４から２．６ｍｍあり、高さは１ｍｍである。ねじ切りセクションの直径は、３．３ｍｍである。
【００１３】
大臼歯インプラントのヘッドの直径は、５．５ｍｍであり、六角形は、顔との間に２．７から３．５ｍｍあり、高さは０．７と１．２ｍｍの間である。ねじ切りセクションは、４、４．５、５、５．５、および６ｍｍの直径を有することができる。
【００１４】
また、特に、硬いまたは非常に硬い骨を有する患者に対して作業を実施するためにこれらのインプラントを使用するとき、より強引で、したがって、より効果的な切断を実施し、動作からの余分な骨をより容易に除去することを可能にすることによって、これらのインプラントの振舞いに対して改良を施すことができることを指摘すべきである。
【００１５】
本発明によれば、インプラントは、それが作成する切断を示し、これは、歯根尖端の平坦部分の真上で開始され、その後、径方向にある距離延びる。
【００１６】
上述した切断は、先細ねじ切りセクションのベースに対応する位置にいくらか足りないところで停止し、したがって、これらの２つの位置の間に十分な空間を創出し、既存のインプラントでは、外を向いている先細の凸の形状の形態である各切断の後の除去領域に通常向けて、余分な骨を動かすことを可能にする。
【００１７】
また、すべてが上述した特徴に基づいているインプラントの機能をより良くする標準的なサイズが発見されている。これらは、インプラントの長さ、先細ねじ切りセクションの角度、および、除去領域、ならびに、インプラントの先細ねじ切りセクションの長さを指す。
【００１８】
これらのサイズは、以下の測定に従って、調節される：
Ｌ．インプラントの長さ
Ｃ．先細ねじ切りセクションの長さ
α．先細ねじ切りセクションの角度
β．除去領域の角度
2004508877.tif 000003
【００１９】
取付け具は、２つの特有な特徴を有する。これらの一方は、ケーシングの外端上の六角形の橋脚歯であり、その位置は、ケーシングの六角形の空洞に一致し、インプラントの六角形の端部を受ける。
【００２０】
したがって、取付け具が、インプラントを望ましい位置に配置するとき、ケーシングの橋脚歯の位置は、インプラントを同一位置に配置することを可能にするような方式で、インプラントの六角形の橋脚歯と一致し、これによりもたらされるすべての歯科補綴法の利点を有する。
【００２１】
スクリューの突出部分については、この部分は、ホルダによって覆われており、適切な材料で作成されたＯリング・シールがはめ込まれている管状のネックを有する。ホルダが、スクリューのこの端部を覆うとき、Ｏリング・シールは、インプラント、ケーシング、およびスクリューを適所に固定する。ホルダは、必要時に、なんら面倒なく、スクリューから取り外すことができ、これは、インプラントの位置と安定性が、影響を受けないことを意味する。
【００２２】
インプラントのねじ切り部分は、患者の骨により迅速にねじ込むことが可能であるように、二重のねじ山を組み込むことができる。
【００２３】
インプラントをねじ込む速度は、あらゆる場合に、状況に依存する。
【００２４】
ホルダの寸法は、インプラントの寸法に適合される。したがって、各インプラントは、対応するホルダを有するが、本発明において述べ、上述した特徴は、維持されることになる。
【００２５】
本発明のこれらおよび他の態様は、添付の図面においてより詳細に見ることができる。その詳細を以下に示す。
【００２６】
図１、２、および３からわかるように、インプラントは、ねじ切りと歯科補綴法の再構築を容易にするために、ねじ切りセクション１、歯根尖端３、およびヘッド５と外部六角形４を備える上部セクションからなる。ヘッド５は、請求項によれば、４８°と６５°の間の先細と、０．５ｍｍの円筒セクションを有する先細セクション２において、本体１に接続される。
【００２７】
図２では、歯根尖端の線または直線的な切刃６を見ることができる。この図は、最も遠い端が、切断するために前方に突出し、図２の位置によれば、反時計回りに回転させることによって切断するような方式で、径方向の位置からずれていることを示す。
【００２８】
この線６は、径方向の位置に対して、０と２０°の間の角度で傾斜しており、反時計回り方向の回転は、切断を開始するときに、より深く入り、より徐々にかつ滑らかであるがより効果的に入ることを意味し、これは、本発明の目的である。
【００２９】
図１では、六角形の端部４から軸方向に延びる盲ねじ切り穴１３を見ることもできる。前記穴と六角形は、スクリューとホルダのケーシングおよび歯科補綴構成要素を配置するために一般に使用される特徴である。
【００３０】
これを達成するために、図４のケーシング７は、六角形の空洞がインプラントの六角形４を覆うような方式で配置され、一方、図７のスクリュー１１は、ねじ切り端部１２をねじを切られたインプラントの空洞１３にねじ込むことができるように、ケーシング７を通過する。空洞内に導入される際に、スクリュー１１のねじ切りセクション１２は、ケーシングの内部ねじ切りセクション１７を下方に移動し、したがって、スクリューを適所に誘導する。
【００３１】
従来のインプラントでは、ケーシングとスクリューがインプラントの上に取り付けられたとき、スクリュー１１の端部１６は、外向きに突出する。次いで、この端部１６は、図９のホルダ１７のセクション１９の内部２０に収容され、したがって、例えば端部１８に接続されている適切な手段を使用するとき、それは、取付け具を望ましい位置に移動させる。
【００３２】
本発明によって、六角形の端部８、９は、ケーシングに収容される。六角形の端部の面は、前記ケーシングの空洞１０の六角形の面とはめ合い、したがって、インプラントの六角形４自体の面とも一致する。
【００３３】
上述した部分の六角形の面の位置が一致するということは、取付け具の条件に関係なく、インプラントの六角形４の正確な位置を示す有効な基準が常に存在することを示す。
【００３４】
取付け具が動かされているとき、ケーシングの六角形の領域８は、この位置の基準を提供する。ホルダ１１を取り外すとき、基準は、六角形の領域８と前記ケーシングの六角形９とによって提供される。これは、インプラントの六角形４によって占有される位置を常に識別することができることを意味する。
【００３５】
さらに、図７では、管状のシール１４とはめ合い、端部１６と橋台１５の間のネックに収容されるシャフト１１を見ることができる。この端部１５、１６が、ホルダの内部２０に収容されるとき、Ｏリング・シール１４は、ホルダの空洞の内壁を押し、したがって、取付け具を完璧に適所に維持する。
【００３６】
取付け具が移動され、望ましいように配置された後は、ホルダ１１を除去するだけでよい。Ｏリング・シール１４によって加えられた圧力により、容易にかつ滑らかに、これを実施することが可能になる。
【００３７】
これらの構造の修正により、人口歯根取付け具は、著しく改善された性能を提供することが可能になり、したがって、本発明の目的を満たすことになる。
【００３８】
図１１では、インプラント２７の平坦な歯根尖端２１を見ることができる。既存の技術では、側部は、歯根尖端の表面から突出する。このセクションは、端部２６まで延びる先細ねじ切りセクション２２にかぶさる。一般に、インプラントは、この端部から下方の六角形の端部まで延び、そこで、インプラントのレバー・アームに接続される。番号付けしていないが、インプラントのヘッドと六角形をこの端部に見ることができる。
【００３９】
この特定の場合では、図１２において詳述したように、４つの切断セクション２４を見ることができる。これらは、縁２６からある距離にある円形のセクション２９に至るまで、上方のべベル２１から放射状に広がる。このギャップは、切断した骨を、切断セクション２４の後ろの除去領域２８に向ける。
【００４０】
先細ねじ切りセクション２２は、円形の端部２９と垂直壁２５から、切断セクション２４およびその後の先細凸状の除去領域２８まで延びる。
【００４１】
図１の角度αおよびβは、ねじ切りセクション２２の先細および除去領域２８の寸法を決定する。
【００４２】
インプラントのヘッドは、４．１ｍｍまたは５．５ｍｍの直径を有し、六角形は、このヘッドの上に、０．７ｍｍだけ、または０．７と１．２ｍｍの間突出することができるので、本発明は、明らかに、本文書の初めで引用した報告で概述した技術に適用することができる。
【図面の簡単な説明】
【図１】
本発明によるインプラントの立面図である。
【図２】
図１の下部の図である。
【図３】
図１の上部の図である。
【図４】
本発明による、取付け具のケーシングの中央セクションの立面図である。
【図５】
右から見た図４の図である。
【図６】
左から見た図４の図である。
【図７】
取付け具のシャフトの立面図である。
【図８】
左から見た図７の図である。
【図９】
左端の断面を有する、ホルダの立面図である。
【図１０】
左から見た図９の図である。
【図１１】
本発明による、硬いまたは非常に硬い骨のためのインプラントの立面図である。
【図１２】
図１１の上から見た図である。
【国際公開パンフレット】
2004508877.tif 000004
2004508877.tif 000005
2004508877.tif 000006
2004508877.tif 000007
2004508877.tif 000008
2004508877.tif 000009
2004508877.tif 000010
2004508877.tif 000011
2004508877.tif 000012
2004508877.tif 000013
2004508877.tif 000014
2004508877.tif 000015
2004508877.tif 000016
2004508877.tif 000017
2004508877.tif 000018
2004508877.tif 000019
【国際調査報告】
2004508877.tif 000020
2004508877.tif 000021
2004508877.tif 000022
2004508877.tif 000023
2004508877.tif 000024
2004508877.tif 000025